【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】レーザー光源から出射したレーザービームを種類の異なる光ディスクに対して照射する光ピックアップ装置に搭載され、前記レーザビームの光軸上に配設される収差補正用液晶素子において、
前記レーザ光源側に配置され、第１の光ディスクに関する収差を補正する第１の電極パターンを有する第１電極と、
前記光ディスク側に配置され、前記第１の光ディスクとは種類の異なる第２の光ディスクに関する収差を補正する第２の電極パターンを有する第２電極と、
前記第１電極と前記第２電極との間に狭持された液晶と、を備えたことを特徴とする収差補正用液晶素子。
【請求項２】
前記第１の光ディスクに関する収差を補正する場合、前記第１電極パターンに電圧を印加し、且つ前記第２の電極パターンを等電位とすることを特徴とする請求項１記載の収差補正用液晶素子。
【請求項３】
前記第２の光ディスクに関する収差を補正する場合、前記第２電極パターンに電圧を印加し、且つ前記第１の電極パターンを等電位とすることを特徴とする請求項１記載の収差補正用液晶素子。
【請求項４】
異なる種類の光ディスクに対し読み取り又は書き込みが可能な光ピックアップ装置であって、
レーザビームを出射するレーザ光源と、
前記レーザビームを光ディスク上に収束させる対物レンズと、
前記レーザ光源と前記対物レンズ間であって、前記レーザ光源から出射するレーザビームの光軸上に配置される収差補正用液晶素子と、を備え、
前記収差補正用液晶素子は、前記レーザ光源側に配置され、第１の光ディスクに関する収差を補正する第１の電極パターンを有する第１電極と、前記光ディスク側に配置され、前記第１の光ディスクとは種類の異なる第２の光ディスクに関する収差を補正する第２の電極パターンを有する第２電極と、前記第１電極と前記第２電極との間に狭持された液晶と、を備えたことを特徴とする光ピックアップ装置。
【請求項５】
前記第１の光ディスクに関する収差を補正する場合、前記第１電極パターンに電圧を印加し、且つ前記第２の電極パターンを等電位とすることを特徴とする請求項４記載の光ピックアップ装置。
【請求項６】
前記第２の光ディスクに関する収差を補正する場合、前記第２電極パターンに電圧を印加し、且つ前記第１の電極パターンを等電位とすることを特徴とする請求項５記載の光ピックアップ装置。
【手続補正２】
【補正対象書類名】明細書
【補正対象項目名】０００９
【補正方法】変更
【補正の内容】
【０００９】
また、収差を補正する場合、補正する方向としてはプラス側とマイナス側の両方向きが存在している。例えば、ディスクのチルトを補正する場合、ディスクの傾く方向によって、基準となる電極に対して、その両側にある電極に電圧を印加する。すなわち、ディスクの傾いている方向によって基準となる電極の電位より各電極の電位を高くしたり、低くしたりする必要がある。例えば、図４に示す電極構成を例に説明すると、ディスクの傾く方向によって電極aを中心（例えば２Ｖに固定）として、電極bに３Ｖそして電極cに１Ｖを印加する場合と、電極bに１Ｖそして電極cに３Ｖを印加する場合があり、ディスクの傾く方向によって電極bと電極cに印加する電圧を逆転させる必要がある。このためには、上記２つの場合に応じて電圧を印加するための回路が必要となる。
【手続補正３】
【補正対象書類名】明細書
【補正対象項目名】００１０
【補正方法】変更
【補正の内容】
【００１０】
また、特許文献２は、多層ディスクの各層間の厚み（距離）の違いに依存して発生する波面収差（球面収差）を補正する波面収差補正手段を開示している。特許文献２に記載の収差補正手段は、異なる方向の収差を補正するための電極パターンがそれぞれ形成されたセグメント電極とコモン電極を有している。
【手続補正４】
【補正対象書類名】明細書
【補正対象項目名】００２５
【補正方法】変更
【補正の内容】
【００２５】
対物レンズ６は、１／４波長板５から送られたレーザビームＢを光ディスク１００内部に形成された信号記録面１０３上に収束させる。また、対物レンズ６は、光ディスク上で反射したレーザビームＢを平行光に変換し、１／４波長板５に送る。光ディスク１００は、基板１０１を有し、基板１０１の片面又は両面上に信号記録面１０３が形成されている。信号記録面１０３は、信号記録面１０３を保護する光透過性の透明保護層１０２で覆われている。
【手続補正５】
【補正対象書類名】明細書
【補正対象項目名】００２８
【補正方法】変更
【補正の内容】
【００２８】
図２は、収差補正用液晶素子１０を示す断面図である。収差補正用液晶素子１０は、１／４波長板５と対物レンズ６との間の光軸上に配置されている。ＤＶＤとＢＲＤとでは、ディスクの表面から信号記録面１０３までの距離、すなわち透明保護層１０２の厚さが異なり、この厚さの差に依存した球面収差が発生する。また、製造されるディスクの厚みには、バラツキが存在し、このバラツキによる球面収差も同様に発生する。収差補正用液晶素子１０は、ＤＶＤおよびＢＲＤのディスクに依存して生じるこれらの収差を補正するために設けられている。収差補正用液晶素子１０は、液晶１４と、配向膜１３及び１５と、第１電極１２及び第２電極１６と、第１基板１１及び第２基板１７とから構成されている。
【手続補正６】
【補正対象書類名】明細書
【補正対象項目名】００３９
【補正方法】変更
【補正の内容】
【００３９】
液晶素子制御回路２０は、受領したディスク識別信号に従い、ＢＲＤ収差補正部２２またはＤＶＤ収差補正部２１の何れか一方を駆動し、収差を補正する。ディスクがＢＲＤである場合には、ＢＲＤ収差補正部２２が駆動される（ステップ３）。ＢＲＤ収差補正部２２は、受光器８から受け取った収差信号ｒ１に基づき、収差補正用液晶素子１０の第１電極１２の電位を可変制御する（ステップ４）。同時に、ＢＲＤ収差補正部２２は、第２電極１６の電位を一定値に固定する（ステップ５）。再生が終了すると、液晶素子制御回路２０は、ＢＲＤ収差補正部２２の駆動を終了する。
【手続補正７】
【補正対象書類名】明細書
【補正対象項目名】００４０
【補正方法】変更
【補正の内容】
【００４０】
一方、ディスクがＤＶＤである場合には、ＤＶＤ収差補正部２１が駆動される（ステップ６）。ＤＶＤ収差補正部２１は、受光器８から受け取った収差信号ｒ１に基づき、収差補正用液晶素子１０の第２電極１６の電位を可変制御する（ステップ７）。同時に、ＤＶＤ収差補正部２１は、第１電極１２の電位を一定値に固定する（ステップ８）。再生が終了すると、液晶素子制御回路２０は、ＤＶＤ収差補正部２１の駆動を終了する。
【手続補正８】
【補正対象書類名】明細書
【補正対象項目名】００４４
【補正方法】変更
【補正の内容】
【００４４】
また、ＢＲＤ−ＤＶＤ互換における、ＤＶＤ使用時の球面収差補正に関連して、ＢＲＤの透明保護層の厚みは０．１ｍｍであるのに対し、ＤＶＤの透明保護層の厚みは、０．６ｍｍである。この両方のディスクを一つのピックアップ装置で記録／再生するためには、ＢＤＲのディスクに対して常に０．５ｍｍ厚くなる分の球面収差を補正する必要があるが、この収差を補正する方向は常に決まっている。このため、ＤＶＤ−ＢＲＤ互換のための球面収差補正は、従来のように、基準となる電極の電圧に対して、残りの電極に印加する電圧は透明保護層厚みが厚い場合と薄い場合によって切り替える必要が無く、常に一定である。このため、ＤＶＤ−ＢＲＤ互換の場合には、図４の電極aまたは電極cの何れか一方の電圧を常にある一定値に固定化しておくことができる。これにより、印加する電圧は、（電極a）＜（電極b）＜（電極c）または（電極c）＜（電極b）＜（電極a）のどちらか一方のみに固定化できる。従って、印加電圧を切り替える回路を設ける必要がなく、回路の小型化およびコストダウンを図ることが可能となる。
【手続補正９】
【補正対象書類名】明細書
【補正対象項目名】００５７
【補正方法】変更
【補正の内容】
【００５７】
液晶素子制御回路８０は、収差補正用液晶素子６０の第１電極６２の各領域、第２電極６６の各領域、収差補正用液晶素子７０の第３電極７２の各領域及び第４電極７６の各領域に独立して電圧を印加する制御回路である。液晶素子制御回路８０は、再生するディスクの外周部近傍にディスク面と対向配置されたチルト角検出器９０から得られる収差信号ｒ２に基づき、ＤＶＤに生じる収差を補正するための電圧信号を生成するＤＶＤ収差補正信号生成部８１と、同じく収差信号ｒ２に基づき、ＢＲＤに生じる収差を補正するための電圧信号を生成するＢＲＤ収差補正信号生成部８２とを有している。
【手続補正１０】
【補正対象書類名】図面
【補正対象項目名】図５
【補正方法】変更
【補正の内容】
【図５】
2004192719.tif 000001
【手続補正１１】
【補正対象書類名】図面
【補正対象項目名】図８
【補正方法】変更
【補正の内容】
【図８】
2004192719.tif 000002